(57)【要約】【課題】トリガレバーロック機構において、トリガレバーの引き回動操作阻止およびその解除のための操作自体の簡単化を図る。【解決手段】トリガレバー５は、内容物放出用の回動操作を阻止するための被ロック作用部５ｇと、ジョイント部４との間の相対的なスライド操作を可能にするための被ガイド作用部５ｄと、を備え、ジョイント部４は、前記スライド操作により、被ロック作用部５ｇとの係止位置または係止解除位置に選択的に設定されるロック作用部４ｄと、前記スライド操作の際に被ガイド作用部５ｄと協働するガイド作用部４ｂと、を備える。前記スライド操作にともない、被ロック作用部５ｇおよびロック作用部４ｄが係止状態に設定されてトリガレバー５の回動操作を阻止するロックモード、または、当該係止状態が解除されて、被ガイド作用部５ｄおよびガイド作用部４ｂの当接部分を回動中心とした前記回動操作が可能なロック解除モードに移行する。【選択図】図１
2015174691.tif 000002
【特許請求の範囲】
【請求項１】
内容物放出用の回動操作の対象であるトリガレバーおよびそれが取り付けられたジョイント部からなり、当該回動操作を阻止するロックモードと、当該回動操作を可とするロック解除モードとが選択的に設定されるトリガレバーロック機構において、
前記トリガレバーは、
前記回動操作を阻止するための被ロック作用部と、
前記ジョイント部との間の相対的なスライド操作を可能にするための被ガイド作用部と、を備え、
前記ジョイント部は、
前記スライド操作により、前記被ロック作用部との係止位置または係止解除位置に選択的に設定されるロック作用部と、
前記スライド操作の際に前記被ガイド作用部と協働するガイド作用部と、を備え、
前記スライド操作にともない、
前記被ロック作用部および前記ロック作用部が係止状態に設定されて前記トリガレバーの回動操作を阻止する前記ロックモード、または、当該係止状態が解除されて、前記被ガイド作用部および前記ガイド作用部の当接部分を回動中心とした前記回動操作が可能な前記ロック解除モードに移行する、
ことを特徴とするトリガレバーロック機構。
【請求項２】
前記ジョイント部は、
前記トリガレバーが取り付けられるアーム状部を備え、
前記被ガイド作用部は、
前記トリガレバーに形成された凹状部または凸状部であり、
前記ガイド作用部は、
前記アーム状部に、前記凹状部または前記凸状部に係合する態様で形成された凸状部または凹状部である、
ことを特徴とする請求項１記載のトリガレバーロック機構。
【請求項３】
請求項１または２に記載のトリガレバーロック機構を備え、かつ、容器本体に内容物を収納した、
ことを特徴とするポンプ式製品。
【請求項４】
請求項１または２に記載のトリガレバーロック機構を備え、かつ、容器本体に噴射用ガスおよび内容物を収納した、
ことを特徴とするエアゾール式製品。
【発明の詳細な説明】
【技術分野】
【０００１】
本発明は、トリガレバーの内容物放出用の引き回動操作を阻止するロックモードと、この引き回動操作を可とするロック解除モードと、が選択的に設定されるトリガレバーロック機構などに関する。
【０００２】
特に、ロック用の新たなパーツを設けることなく、もともとの構成要素であるトリガレバーおよびそのジョイント部にそれぞれロック被作用部およびロック作用部を形成したトリガレバーロック機構に関する。
【０００３】
そして、トリガレバーに対する、本来の引き回動操作とは別の前後方向などへのスライド操作により、ロック被作用部とロック作用部との係止状態およびその解除状態を設定する。
【０００４】
トリガレバーの引き回動操作が、この係止状態では阻止されて、係止解除状態では確実に担保される。
【０００５】
すなわち、本発明は、内容物放出用の引き回動操作を前提とするトリガレバーに、これとは別のロックモード／ロック解除モード設定用のジョイント部との間の相対スライド操作を付加する、といった新たな着想に基づくトリガレバーロック機構である。
【０００６】
また、引き回動操作されるトリガレバーは通常、外部空間域への内容物通路部（後述のＬ字状ノズル６など）とは別のいわば操作専用部材の形で配設されるため、このトリガレバーにスライド操作機能を付加しても内容物通路部の形状，構造を変える必要はない。
【０００７】
本発明は、押し下げタイプの操作部材とは異なって、この内容物通路部を備えることなしに操作部専用といったトリガレバーの特徴にも着目したものである。
【０００８】
このようなトリガレバーロック機構を備えたポンプ式製品およびエアゾール式製品も本発明の対象である。
【０００９】
本明細書では、トリガレバー５の回動操作部５ａやＬ字状ノズル６の放出口側を「前」、それとは反対の後円柱状凸部４ｂやスライド用孔部５ｄなどの側を「後」とそれぞれ記す。おおよその水平面内でこの前後方向と略直交する方向を「左右」，「横」と記す。
【００１０】
また、貫通状態の孔部および非貫通状態の溝状部の双方を含む意味あいで「凹状部」の語を使用する。
【背景技術】
【００１１】
本件出願人は、トリガレバージョイント部のＬ字状ノズル案内用の直立筒状部に、トリガレバーのロックモード・ロック解除モードを選択する筒状のロック部材を、その周回動（周方向への回動）可能な形で設けることを開示している（特許文献１参照）。
【００１２】
ここでは、ロック部材の周回動位置の選択により、下方向にトリガレバーと連動するＬ字状ノズルが当該ロック部材に係止されて下動できない、すなわちトリガレバーの内容物放出用の引き回動操作を阻止するように設定されている。
【先行技術文献】
【特許文献】
【００１３】
【特許文献１】特開２０１２−１５２６７８号公報
【発明の概要】
【発明が解決しようとする課題】
【００１４】
上述した従来のトリガレバーロック機構は、トリガレバーのいわば取付け基部であるジョイント部に配設したロック部材の周回動操作により、トリガレバーの内容物放出用の不用意な引き回動操作を確実に阻止できるといった利便性を備えたものである。
【００１５】
本発明は、このような利点を備えたトリガレバーロック機構についての新たな着想、すなわち内容物放出用の引き回動操作をもっぱらの用途とするトリガレバーにそれ自体のスライド操作を付加するといった着想に基づくものである。
【００１６】
本発明は、このトリガレバー自体の新たなスライド操作機能により、トリガレバーの引き回動操作阻止およびその解除のための操作自体の簡単化を図るとともに、トリガレバーロック機構全体の外観についてのシンプルなデザイン性確保を図ることを目的とする。
【００１７】
また、トリガレバーロック用の新たなパーツを特に用いずに、さらにはトリガレバーの引き回動操作により下方へ駆動される内容物通路部も変更せずに元のまま使って、トリガレバーロック機構の部品管理，組立工程での利便性確保を図ることを目的とする。
【課題を解決するための手段】
【００１８】
本発明は、以上の課題を次のトリガレバーロック機構を用いることにより解決する。
（１）内容物放出用の回動操作の対象であるトリガレバー（例えば後述のトリガレバー５）およびそれが取り付けられたジョイント部（例えば後述のジョイント部４）からなり、当該回動操作を阻止するロックモードと、当該回動操作を可とするロック解除モードとが選択的に設定されるトリガレバーロック機構において、
前記トリガレバーは、
前記回動操作を阻止するための被ロック作用部（例えば後述の垂下部５ｇ）と、
前記ジョイント部との間の相対的なスライド操作を可能にするための被ガイド作用部（例えば後述のスライド用孔部５ｄ）と、を備え、
前記ジョイント部は、
前記スライド操作により、前記被ロック作用部との係止位置または係止解除位置に選択的に設定されるロック作用部（例えば後述の角筒状部４ｄ）と、
前記スライド操作の際に前記被ガイド作用部と協働するガイド作用部（例えば後述の後円柱状凸部４ｂ）と、を備え、
前記スライド操作にともない、
前記被ロック作用部および前記ロック作用部が係止状態に設定されて前記トリガレバーの回動操作を阻止する前記ロックモード、または、当該係止状態が解除されて、前記被ガイド作用部および前記ガイド作用部の当接部分を回動中心とした前記回動操作が可能な前記ロック解除モードに移行する、
構成態様のものを用いる。
（２）上記（１）において、
前記ジョイント部は、
前記トリガレバーが取り付けられるアーム状部（例えば後述のアーム状部４ａ）を備え、
前記被ガイド作用部は、
前記トリガレバーに形成された凹状部または凸状部（例えば後述のスライド用孔部５ｄ）であり、
前記ガイド作用部は、
前記アーム状部に、前記凹状部または前記凸状部に係合する態様で形成された凸状部または凹状部（例えば後述の後円柱状凸部４ｂ）である、
構成態様のものを用いる。
【００１９】
本発明は、このような構成からなるトリガレバーロック機構、ならびに当該トリガレバーロック機構を備えて、後述の内容物などを容器本体に収容したポンプ式製品および後述のガス，内容物などを容器本体に収容したエアゾール式製品を対象としている。
【発明の効果】
【００２０】
本発明は以上の課題解決手段により、
(11)トリガレバーの引き回動操作阻止およびその解除のための操作自体の簡単化を図るとともに、トリガレバーロック機構全体のシンプルなデザイン性確保を図る、
(12)トリガレバーロック用の新たなパーツを特に用いずに、さらにはトリガレバーの引き回動操作により下方へ駆動される内容物通路部も変更せずに元のまま使って、トリガレバーロック機構の部品管理，組立工程での利便性確保を図る、
ことなどができる。
【図面の簡単な説明】
【００２１】
【図１】トリガレバーロック機構のロックモード、すなわち垂下部５ｇの下端面が角筒状部４ｄの上端面に当接してトリガレバーの引き回動操作が阻止される状態を示す説明図である。
【図２】トリガレバーロック機構のロック解除モード、すなわち図１のトリガレバー５を後方にスライドさせることにより垂下部５ｇの下端面と角筒状部４ｄの上端面との当接が解除された状態を示す説明図である。
【図３】図２のロック解除モードにおけるトリガレバーの引き回動操作時、すなわち利用者が図２のトリガレバー５を後方に引くことによりＬ字状ノズル６が押し下げられた内容物放出状態（作動モード）を示す説明図である。
【図４】ジョイント部４，トリガレバー５およびＬ字状ノズル６などの関連構成を示す説明図である。
【発明を実施するための最良の形態】
【００２２】
図１〜図４を用いて本発明を実施するための最良の形態を説明する。
【００２３】
上述したように本発明のトリガレバーロック機構はポンプ式製品およびエアゾール式製品のそれぞれに適用されえるが、図１〜図４に対応した以下の記載では単なる説明の便宜上、ポンプ式製品を前提としている。
【００２４】
以下のアルファベット付き参照番号の構成要素（例えば開口側筒状部１ａ）は原則として、その数字部分の構成要素（例えば容器本体１）の一部であることを示している。
【００２５】
図１〜図４において、
１は後述の内容物を収納した周知の容器本体，
１ａは当該容器本体の上側に形成された開口側筒状部，
２は開口側筒状部１ａの外周面との螺合作用により容器本体１に着脱可能な形で取り付けられた筒状で周知のネジキャップ，
３は開口側筒状部１ａの上端部分とネジキャップ２の環天井部分との間に環状シール部材（図示省略）を介して回動可能な形で係合保持され、かつ、下流弁作用を呈する周知のピストン（図示省略）が内部に配設された内容物（放出対象分）貯留用のハウジング，
をそれぞれ示している。
【００２６】
また、
４はハウジング３の上端部分と強く係合して一体化されるジョイント部，
４ａは当該ジョイント部の傾斜起立部分であって後述のトリガレバー５を回動支持するためのアーム状部，
４ｂはアーム状部４ａそれぞれの上後端の外側面に形成されて後述のスライド用孔部５ｄを案内し、かつ、内容物放出用のトリガレバーの引き回動操作の回動中心として作用する一対の後円柱状凸部（ガイド作用部，凸状部），
４ｃは当該ジョイント部の前側直立部分であって後述のＬ字状ノズル６の上下方向部分を案内する筒状起立部，
４ｄは筒状起立部４ｃの後側外周面からその後方に横断面「コ」の字状に連続形成されて後述のトリガレバー５のロックモードを設定するための角筒状部（ロック作用部），
をそれぞれ示している。
【００２７】
また、
５は内容物放出用の引き回動操作部材として作用するトリガレバー，
５ａは当該トリガレバーの前部分を構成する引き金形状の回動操作部，
５ｂは回動操作部５ａの上方のトリガレバー部分に、当該トリガレバーの上面前後方向および前面上下方向に延びる連続態様で形成されて、当該トリガレバーの、後方向へのスライド動作および図示反時計方向への回動動作にともない、後述のＬ字状ノズル６をトリガレバー前方，トリガレバー上方それぞれの外部空間域に突出させるための上方開口部，
５ｃは当該トリガレバーの一対の側板，
５ｄは側板５ｃそれぞれの後端側に形成されて、トリガレバースライド操作によりジョイント部４の後円柱状凸部４ｂに案内される前後方向の一対のスライド用孔部（被ガイド作用部，凹状部），
５ｅはスライド用孔部５ｄの前側部分であって当該トリガレバーのロック解除モードのときに後円柱状凸部４ｂと係合する円状前孔部，
５ｆはスライド用孔部５ｄの後側部分であって当該トリガレバーのロックモードのときに後円柱状凸部４ｂと係合する円状後孔部，
５ｇは当該トリガレバーの天井面に形成されて、そのスライド操作により、角筒状部４ｄの上端面との当接状態または当該角筒状部から後方への離間状態に選択的に設定される横断面「コ」の字状の垂下部（被ロック作用部），
５ｈは側板５ｃそれぞれの内面上端側であって垂下部５ｇより前方部分に形成された一対の内面平板状凸部，
５ｊは内面平板状凸部５ｈの下端面であって、当該トリガレバーのロック解除モードのときには後述の前円柱状凸部６ａの駆動部として作用し、かつ、ロックモードのときには当該前円柱状凸部に当接保持される上凸状の緩曲面，
をそれぞれ示している。
【００２８】
また、
６は上述の下流弁作用を呈し、かつ、上方向への弾性力を受けた周知のピストン（図示省略）の上端側に、上下方向部分が筒状起立部４ｃに案内される形で取り付けられて、トリガレバー５の図示反時計方向への回動操作により放出内容物が通過するＬ字状ノズル，
６ａは当該Ｌ字状ノズルの屈曲部における左右対向部分に形成されて、トリガレバー５の緩曲面５ｊに当接し、当該トリガレバーのロック解除モードのときは当該緩曲面で下方向に駆動される一対の前円柱状凸部（図３参照），
をそれぞれ示している。
【００２９】
ここで、容器本体１，ネジキャップ２，ハウジング３，ジョイント部４，トリガレバー５およびＬ字状ノズル６は、例えばポリプロピレン，ポリエチレン，ポリアセタール，ナイロン，ポリブチレンテレフタレートなどからなるプラスチック製のものである。
【００３０】
トリガレバー５およびジョイント部４の前後方向での相対的なスライド操作により、
・当該トリガレバーが前方に位置して、その内容物放出用の引き回動操作が阻止されるロックモード（図１参照）と、
・当該トリガレバーが後方に位置して、その内容物放出用の引き回動操作が阻止されないロック解除モード（図２参照）と、
が選択的に設定される。
【００３１】
トリガレバー５をジョイント部４に対して後方に引いた図２のロック解除モード（初期状態）のとき、Ｌ字状ノズル６は、その前端側の放出口側部分が当該トリガレバーから3.5mmほど突出している。
【００３２】
図示のトリガレバーロック機構の基本的特徴は、
(21)トリガレバー５をジョイント部４に対し前方にスライドさせてＬ字状ノズル６の放出口側部分が当該トリガレバーから突出していない状態の、図１のロックモードのとき、
当該ジョイント部の角筒状部４ｄと当該トリガレバーの垂下部５ｇとが上下方向に係止して、当該トリガレバーの内容物放出用の引き回動操作が阻止され、
(22)このロックモードのトリガレバー５をジョイント部４に対し後方にスライドさせてＬ字状ノズル６の放出口側部分が当該トリガレバーから突出した状態の、図２のロック解除モード（初期状態）のとき、
角筒状部４ｄと垂下部５ｇとのそれまでの係止状態が解消し、当該ジョイント部の後円柱状凸部４ｂの係合相手がそれまでの円状後孔部５ｆから円状前孔部５ｅへとシフトし、
(23)このロック解除モードにおけるトリガレバー５の回動操作部５ａを利用者が後方に引く、図３の作動モードのとき、
当該トリガレバーが後円柱状凸部４ｂおよび円状前孔部５ｅを中心にして図示反時計方向に回動し、前回の引き回動操作終了にともなってハウジング３に収容された内容物（＝次回の放出対象内容物）の圧力が今回のトリガレバー引き回動操作で大きくなり、ハウジング内部の周知の下流弁（吐出し弁）がそれまでの閉状態から開状態に移行する、
ことなどである。
【００３３】
この下流弁（吐出し弁）の開状態への移行により、ハウジング内部のいわば高い（外気よりも高い）圧力の内容物がＬ字状ノズル６を経て外部空間域に放出される。
【００３４】
図１は、トリガレバーロック機構のロックモード、すなわちトリガレバー５がジョイント部４に対して前方に位置し、垂下部５ｇの下端面が角筒状部４ｄの上端面に当接することによりトリガレバー５の引き回動操作が阻止される状態を示している。
【００３５】
このとき、トリガレバー５は、その緩曲面５ｊの前後方向中央部分がＬ字状ノズル６の前円柱状凸部６ａに当接し、その円状後孔部５ｆがジョイント部４の後円柱状凸部４ｂに係合している。
【００３６】
また、Ｌ字状ノズル６は、その先端放出口部分がトリガレバー５のいわば内部空間域に収容される態様で配設されている。すなわちＬ字状ノズル６の放出口部分はトリガレバー５より前方の外部空間域へ突出していない
【００３７】
図２は、トリガレバーロック機構のロック解除モード、すなわち図１のトリガレバー５をジョイント部４に対して後方にスライドさせることにより、垂下部５ｇの下端面と角筒状部４ｄの上端面との当接が解除された状態を示している。
【００３８】
このとき、トリガレバー５は、その緩曲面５ｊの前方部分がＬ字状ノズル６の前円柱状凸部６ａに当接し、その円状前孔部５ｅがジョイント部４の後円柱状凸部４ｂに回動可能な状態で係合している。
【００３９】
また、図２のロック解除モードでは、Ｌ字状ノズル６の放出口部分はトリガレバー５より前方の外部空間域へ突出している。
【００４０】
利用者は、この放出口部分が突出していることによりロック解除モードの設定状態であることを容易に、また確実に知りえる。
【００４１】
図３は、利用者がロック解除モードのトリガレバー５を後方に引くことによりＬ字状ノズル６が押し下げられ、これによりハウジング３の収容内容物が当該Ｌ字状ノズルを介して外部空間域に放出される状態を示している。
【００４２】
図２のトリガレバー５の回動操作部５ａが後方に引かれるとき、当該トリガレバーは、ジョイント部４の後円柱状凸部４ｂと係合している円状前孔部５ｅを中心に図示反時計方向に回動する。
【００４３】
このトリガレバー５の反時計方向への回動にともない、Ｌ字状ノズル６は、その前円柱状凸部６ａが緩曲面５ｊから下方向への駆動力を受けてジョイント部４の筒状起立部４ｃに案内されながら下動する。
【００４４】
なお、上述したように、Ｌ字状ノズル６と、これの前円柱状凸部６ａに当接保持されたトリガレバー５とは、周知のコイルスプリング（図示省略）の弾性作用で上方向へ付勢されており、引き回動操作なしの静止状態では図１，図２の上下方向位置にて停止する。
【００４５】
また、トリガレバーの引き回動操作にともなうＬ字状ノズル６の下動は、この上方向への弾性力に抗しながらの移動である。
【００４６】
図３のＬ字状ノズル６の下動にともない、ハウジング３の内部に設定されてともに閉状態の周知の上流弁（吸込み弁）と下流弁（吐出し弁）との間の貯留空間域の内容物圧力が増加する。
【００４７】
その結果、上流弁は閉じたままで下流弁が開き、当該貯留空間域の収容内容物が当該下流弁およびＬ字状ノズル６を通って外部空間域に放出される。このような貯留空間域内容物が外部空間域に放出される動作自体は周知である。
【００４８】
なお、図２から図３へのトリガレバー５の図示反時計方向への引き回動操作のとき、その緩曲面５ｊがＬ字状ノズル６の前円柱状凸部６ａと当接する位置は、図２のときよりも後側へとシフトしている。
【００４９】
このように、図示のトリガレバーロック機構は、図１のトリガレバー５のロックモード（内容物放出用の引き回動操作阻止状態）を解除するとき、トリガレバー自体をジョイント部４に対して相対的に後側へスライドさせるといった新たな着想に基づくロック機構である。
【００５０】
利用者が図３のトリガレバーの引き回動操作を終える、すなわちトリガレバー５のいわば強制回動状態が解除されると、Ｌ字状ノズル６およびこれと一体のトリガレバー５は上述の弾性力により上動して図２の初期状態（ロック解除モード）に復帰する。
【００５１】
このＬ字状ノズル６の上動にともない、ハウジング３の内部の上流弁（吸込み弁）と下流弁（吐出し弁）との間の貯留空間域の容量が増加して、当該貯留空間域の内部圧力が容器本体１の内容物圧力よりも減少する。
【００５２】
その結果、下流弁（吐出し弁）が閉じたまま上流弁（吸込み弁）が開いて、上記貯留空間域に容器本体の内容物が流入する。
【００５３】
この内容物の流入は、上記貯留空間域の上流弁の内外の圧力が均衡するまで続く。このときの上記貯留空間域への流入内容物が次回の放出対象内容物となる。
【００５４】
図２のロック解除モードのトリガレバー５を前方にスライドさせることにより、垂下部５ｇの下端面が角筒状部４ｄの上端面に当接した図１のロックモードに復帰する。
【００５５】
このロックモードへの復帰により、トリガレバー５の円状後孔部５ｆがジョイント部４の後円柱状凸部４ｂに係合する。
【００５６】
図示のトリガレバーロック機構の組立て手順は、例えば次のようになる。
(31)ハウジング３の内部空間域に周知のポンプ作用部（コイルスプリング，Ｌ字状ノズル６が取り付けられて下流弁作用を呈するピストン，ピストンを上方へ弾性的に付勢するコイルスプリング，上流弁作用部など）を設定し、
(32)この設定後のハウジング３にネジキャップ２とジョイント部４とを順に取り付け、
(33)この取付け後のジョイント部４の筒状起立部４ｃにＬ字状ノズル６の上下方向部分を入れることにより、当該Ｌ字状ノズルを上記ピストンに結合させ、
(34)その後、トリガレバー５をＬ字状ノズル６にその上方，前方からかぶせるようにしてセットすることにより、ジョイント部４（アーム状部４ａ）の後円柱状凸部４ｂに当該トリガレバーのスライド用孔部５ｄを係合させる。
【００５７】
なお、トリガレバーロック機構のプラスチック製の各構成要素は弱い弾性変形作用を呈する。そのため各構成要素の組合せなどに際しては相互間の弾性変形が生じる。
【００５８】
例えばアーム状部４ａの後円柱状凸部４ｂにトリガレバー５のスライド用孔部５ｄを係合させるとき、その係合前で互いに当接状態の、側板５ｃの内面および後円柱状凸部４ｂの端面はそれぞれ相手に押されて弾性変形し、係合後に初期状態へと復帰する。
【００５９】
本発明が、図示の実施形態に限定されないことは勿論であって例えば、
(41)貫通タイプのスライド用孔部５ｄに代えて、非貫通タイプのスライド用溝状部を側板５ｃの内面側に形成する、
(42)スライド用孔部５ｄまたは上記(41)のスライド用溝状部をアーム状部４ａに形成して、後円柱状凸部４ｂに相当する凸状部を側板５ｃの内面側に形成する、
(43)下向きの緩曲面５ｊに相当する上向き緩曲面をＬ字状ノズル６の外面側に形成し、前円柱状凸部６ａに相当する凸状部を側板５ｃの内面側に形成する、
(44)ネジキャップ２およびジョイント部４の全体を一体成形物として設定する、
(45)トリガレバー５およびＬ字状ノズル６を、図１のロックモードにおいてもＬ字状ノズル前端の放出口部分がトリガレバー５からその前方の外部空間域に突出した状態に配設する、
(46)トリガレバー５およびＬ字状ノズル６を、図２のロック解除モードにおいてもＬ字状ノズル前端の放出口部分がトリガレバー５からその前方の外部空間域に突出しない状態に配設する、
(47)トリガレバー５およびＬ字状ノズル６を、図３の作動モードにおいて当該Ｌ字状ノズルが当該トリガレバーからはみ出ないように配設する、
(48)トリガレバー５のスライド操作方向を、図示の前後方向ではなく横方向（例えば図面に略直交する方向）に設定する、
ようにしてもよい。
【００６０】
本発明が適用されるポンプ式製品，エアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６１】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６４】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６６】
高分子化合物としては、メチルセルロース，ゼラチン，デンプン，カゼイン，ヒドロキシエチルセルロース，キサンタンガム，カルボキシビニルポリマーなどを用いる。
【００６７】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、パラフェノールスルホン酸亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，過酸化水素水などの酸化剤、リン酸二水素アンモニウム，炭酸水素ナトリウム・カリウムなどの消火剤などを用いる。
【００６８】
さらに、上記内容物以外の、懸濁剤，紫外線吸収剤，乳化剤，保湿剤，酸化防止剤、金属イオン封鎖剤なども用いることができる。
【００６９】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００７０】
１：容器本体
１ａ：開口側筒状部
２：ネジキャップ
３：ハウジング
４：ジョイント部
４ａ：一対のアーム状部
４ｂ：一対の後円柱状凸部
４ｃ：筒状起立部
４ｄ：角筒状部
５：トリガレバー
５ａ：回動操作部
５ｂ：上方開口部
５ｃ：一対の側板
５ｄ：一対のスライド用孔部
５ｅ：一対の円状前孔部
５ｆ：一対の円状後孔部
５ｇ：横断面「コ」の字状の垂下部
５ｈ：一対の内面平板状凸部
５ｊ：上凸状の一対の緩曲面
６：Ｌ字状ノズル
６ａ：一対の前円柱状凸部
【図１】
2015174691.tif 000003
【図２】
2015174691.tif 000004
【図３】
2015174691.tif 000005
【図４】
2015174691.tif 000006